(57)【要約】      （修正有）【課題】心臓植え込み型ペースメーカーの電源に使用することで電池交換手術が不要になり、高齢などが理由で体力がない人の手術を回避できる圧電デバイスを提供する。【解決手段】左アクチェータ２と、右アクチェータ３と、左アクチェータと右アクチェータとを連結する連結部とからなる圧電デバイスにおいて、左アクチェータ及び右アクチェータは、それぞれ電極を備えた圧電シートで構成された中空の球状であって、内部に流体を備え、連結部は絶縁体で構成されたことを特徴とする。【選択図】図１
0003184369.tif 000002
【実用新案登録請求の範囲】
【請求項１】
加圧による刺激で変形して電圧を生じる中空の圧電シートに電極を設けた圧電アクチェータ(以下圧電アクチェータ)の、圧電アクチェータ内部に閉じ込めた流体を、外部からの加圧によって連結した片方の圧電アクチェータに移動させ、外部からの加圧と押し広げる内圧により起電した双方の電力が、他方へと通電するのを防ぐ目的で、通路用の連結部を絶縁体で構成し、システム全体を密封したことを特徴とする連動型の圧電デバイス
【請求項２】
請求項1記載の圧電デバイスの圧電アクチェータの拡張力を補助する目的で、両方の圧電アクチェータの表面に折り込みを設けたことを特徴とする圧電デバイス
【請求項３】
請求項２記載の圧電デバイスの圧電アクチェータの復元力を補助する目的で、両方の圧電アクチェータ内に反発用ボールを挿入したことを特徴とする圧電デバイス
【考案の詳細な説明】
【技術分野】
【０００１】
本考案は、心臓植え込み型ペースメーカーの電源デバイスに関する。
【背景技術】
【０００２】
心臓の植え込み型デバイスには、ペースメーカー、植え込み型除細動器がありいずれもその稼働に電力を要する。植え込み型ペースメーカーが心筋を刺激するのに要する電圧は２〜３ボルト、乾電池２個を直流につないだのと同じかそれ以下で、通電時間は１回につき0、001〜0、002秒にすぎない。電池は安全性が高く、長寿命で安定した電力を供給できるリチウム電池が用いられている。しかし長寿命とはいえ６〜８年、長くても10年程度で電池交換をしなければならず交換手術が必要になる。高齢などが理由で体力がない人のためにも、電池交換不要のペースメーカーを望む声が有り、これまでも様々な特許出願がなされ、主流は外部から無線により充電する方法である。
電池交換不要の自己発電型電池として期待される圧電素子は、近年著しい発展を遂げ、特に積層型圧電シートはプリント製作が可能、高出力で柔軟性があり、様々な用途に対応できるため関西大学など各大学の研究室や企業で研究開発され、その用途の中には人工筋肉の可動に関する研究も含まれている。
【先行技術文献】
【特許文献】
【０００３】
【特許文献１】特願2012−244254
【特許文献２】特願2012−244255
【特許文献３】特願2007−143388
【考案の概要】
【考案が解決しようとする課題】
【０００４】
心臓の植え込み型デバイスには、ペースメーカー、植え込み型除細動器がありいずれもその稼働に電力を要する。植え込み型ペースメーカーが心筋を刺激するのに要する電圧は２〜３ボルト、乾電池２個を直流につないだのと同じかそれ以下で、通電時間は１回につき0、001〜0、002秒にすぎない。電池は安全性が高く、長寿命で安定した電力を供給できるリチウム電池が用いられている。しかし長寿命とはいえ、６〜８年長くても10年程度で電池交換をしなければならず交換手術が必要になる。高齢などが理由で体力がない人のためにも、電池交換不要のペースメーカーを望む声が有る。
【課題を解決するための手段】
【０００５】
心臓植え込み型ペースメーカーの電源を交換不要にする目的で、積層型圧電シートで作成した、双球型で各中空の中央にボール様の反発材を備えたことを特徴とする圧電デバイスで、心臓植え込み型ペースメーカーの電源を考案した。
【考案の効果】
【０００６】
本考案の、心臓植え込み型ペースメーカーの電源を使用することで、電池交換手術が不要になる。
【考案を実施するための形態】
【０００７】
本考案に係る心臓植え込み型ペースメーカーの電源について、図面を用いて説明する。なお本発明の電源とペースメーカーとの接続図については、軽量化、リードレス方式化などペースメーカー本体の変革が著しいため、実施例１、実施例２ともに割愛する。
【実施例１】
【０００８】
図１は本考案双球型圧電デバイス本体１の正面図である。球状の左アクチェータ２、球状の右アクチェータ３、中央の括れ４、左アクチェータ電極５、右アクチェータの電極６、絶縁体７を備えている。
図２は本考案双球型圧電デバイス本体１の断面図である。球状の左アクチェータ２の断面、球状の右アクチェータ３の断面、中央の括れ４の断面、絶縁体７の断面、左アクチェータ電極５、右アクチェータの電極６が目視でき、双球型圧電デバイス本体１の内部左アクチェータ内の反発用ボール８、右アクチェータ内の反発用ボール９、双球型圧電デバイス本体４の内の流体10が目視できる。
図３は本考案双球型圧電デバイス本体１と左アクチェータ内の反発用ボール８、右室内の反発用ボール９の断面図である。球状の左室２の断面、球状の右アクチェータ３の断面、中央の括れ４の断面、絶縁体７の断面、左アクチェータ電極５、右アクチェータの電極６が目視でき、双球型圧電デバイス本体１の内部左アクチェータ内中空の反発用ボール８の断面、右アクチェータ内中空の反発用ボール９の断面、双球型圧電デバイス本体１の内の流体10が目視できる。
実施例１を図３で説明する。
筋肉の働きにより加圧され変形した双球型圧電デバイス本体１は発電し、電力は左アクチェータ電極５、右アクチェータの電極６によって植え込み型ペースメーカー本体の蓄電池に蓄えられ、蓄電池の電力は従来のリチウム電池と同様に消費される。筋肉の働きが球状の左アクチェータ室２により大きな加圧を与えた場合、球状の左アクチェータ２は押され変形して発電し、流体10は中央の括れ４を通って球状の右アクチェータ３に移動し球状の右アクチェータ３を押し広げて発電する。球状の左アクチェータ２の電力と球状の右アクチェータ３の電力が互いに影響するのを避ける目的で、中央の括れ４には絶縁体７が設けられている。
【実施例２】
【０００９】
図４は本考案双球型圧電デバイスの異型11である。ラグビーボールに似た楕円形の左アクチェータ12の電力と、ラグビーボールに似た楕円形の右アクチェータ13の発電した電力が互いに影響するのを避ける目的で、中央の括れには中空の絶縁体16を設け、左アクチェータ12の電極14、右アクチェータ13の電極15は、其々左アクチェータ12、右アクチェータ13の外側に設けられている。折り込み線17、折り込み線18は流体による拡張力の補助と内圧からの保護を兼ねている。
本考案の要旨に違反しない範囲で、双球型圧電デバイスはさらに別の実施形態が可能である。即ち玩具用の動力など、自己発電型の発電デバイスとしての利用である。また素材である圧電シールも性能の向上を求め日々進化していることから、素材の変革や些末な形状の変化、圧電アクチェータの涙滴形や砲弾形などは、本考案の要旨に違反しない範囲での別の実施形態と想定している。
【産業上の利用可能性】
【００１０】
積層型圧電フイルムで作成した双球型で、各双球の中空の中央にボール様の反発材を備えた圧電デバイスを心臓植え込み型ペースメーカーの電源に使用することで電池交換手術が不要になり、高齢などが理由で体力がない人の手術を回避できる。また玩具類の動力など、自己発電型の発電デバイスとしての利用可能性が見込める。
【図面の簡単な説明】
【００１１】
【図１】本考案双球型圧電デバイス本体１の正面図
【図２】本考案双球型圧電デバイス本体１の断面図
【図３】本考案双球型圧電デバイス本体１と左室内の反発用ボール８、右室内の反発用ボール９の断面図
【図４】本考案双球型圧電デバイスの異型本体11の正面図
【符号の説明】
【００１２】
１  双球型圧電デバイス本体
２  球状の左アクチェータ    
３  球状の右アクチェータ
４  中央の括れ
５  左アクチェータの電極
６  右アクチェータの電極
７  絶縁体
８  左アクチェータ内の反発用ボール
９  右アクチェータ内の反発用ボール
10  流体  
11  双球型圧電デバイスの異型本体
12  双球型圧電デバイスの異型の楕円形の左アクチェータ    
13  双球型圧電デバイスの異型の楕円形の右アクチェータ
14  双球型圧電デバイスの異型の楕円形の左アクチェータの電極    
15  双球型圧電デバイスの異型の楕円形の右アクチェータの電極
16  双球型圧電デバイスの異型本体の絶縁体の括れ
17  双球型圧電デバイスの異型の楕円形の左アクチェータの折り込み線    
18  双球型圧電デバイスの異型の楕円形の右アクチェータの折り込み線
【図４】
0003184369.tif 000003
【図１】
0003184369.tif 000004
【図２】
0003184369.tif 000005
【図３】
0003184369.tif 000006
【手続補正書】
【提出日】平成25年3月28日(2013.3.28)
【手続補正１】
【補正対象書類名】実用新案登録請求の範囲
【補正対象項目名】全文
【補正方法】変更
【補正の内容】
【実用新案登録請求の範囲】
【請求項１】
左アクチェータと、右アクチェータと、前記左アクチェータと前記右アクチェータとを連結する連結部とからなる圧電デバイスにおいて、前記左アクチェータ及び前記右アクチェータは、それぞれ電極を備えた圧電シートで構成された中空の球状であって、内部に流体を備え、前記連結部は絶縁体で構成されたことを特徴とする圧電デバイス
【請求項２】
前記左アクチェータ及び前記右アクチェータの表面に、それぞれ折り込み線を設けたことを特徴とする請求項１に記載の圧電デバイス
【請求項３】
前記左アクチェータ及び前記右アクチェータの内部に、それぞれ反発用ボールを備えたことを特徴とする請求項２に記載の圧電デバイス
【手続補正３】
【補正対象書類名】明細書
【補正対象項目名】００１０
【補正方法】変更
【補正の内容】
【００１０】  積層型圧電シールで作成した双球型で、各双球の中空の中央にボール様の反発材を備えた圧電デバイスを心臓植え込み型ペースメーカーの電源に使用することで電池交換手術が不要になり、高齢などが理由で体力がない人の手術を回避できる。また玩具類の動力など、自己発電型の発電デバイスとしての利用可能性が見込める。